(57)【要約】  本発明は、ロック部分（４３）を含むスロット（４１）を有するハウジング（２１）を含む注射デバイスに関する。注射デバイスは、針（３１）と、ハウジング（２１）のスロット（４１）を通ってハウジング（２１）の外側まで延びるスロット係合部分（４０）とを有する針ユニット（２３）も含む。針ユニット（２３）は、ハウジング（２１）に対する針ユニット（２３）の動きがスロット（４１）によって制限されるように、ハウジング（２１）内に可動に取り付けられる。注射デバイスは、ハウジング（２１）内に取り付けられたカートリッジ（２２）も含み、カートリッジ（２２）は、薬剤用のリザーバ（２８）を有する。注射デバイスの使用前、リザーバ（２８）は針（３１）から封止されている。ハウジング（２１）のスロット（４１）は、針ユニット（２３）を回転させて、スロット係合部分（４０）をロック部分（４３）から外して移動させることができるように配置され、針ユニット（２３）をカートリッジ（２２）と係合するように移動させて、針（３１）をリザーバ（２８）と流体連通させることができる。【選択図】図３Ａ
2021504048.tif 000002
【特許請求の範囲】
【請求項１】
注射デバイスであって：
ロック部分を有するスロットを含むハウジングと、
針、針が取り付けられた内側部材、スロット係合部分、およびハウジングの外部に配設された外側部材を含む針ユニットであって、スロット係合部分は、内側部材からハウジングのスロットを通って外側部材まで延び、針ユニットは、ハウジングに対する針ユニットの動きがスロットによって制限されるようにハウジング内に可動に取り付けられた、針ユニットと、
ハウジング内に取り付けられ、薬剤用のリザーバを有し、注射デバイスの使用前にリザーバが針から封止されている、カートリッジと
を含み、
ここで、ハウジングのスロットは、針ユニットの外側部材の回転により、スロット係合部分をロック部分から外して移動させるように配置され、それにより、針ユニットをカートリッジと係合するように移動させて、針をリザーバと流体連通させることができる、
前記注射デバイス。
【請求項２】
ハウジングのスロットは、針ユニットが回転された後、針ユニットがカートリッジに向かって移動するのを可能にする移動部分をさらに含む、請求項１に記載の注射デバイス。
【請求項３】
針ユニットをカートリッジに向けて付勢するように配置されたばねをさらに含む、請求項２に記載の注射デバイス。
【請求項４】
スロットのロック部分は、移動部分に対して傾斜しており、ばねは、移動部分から離れたロック部分の端部に、針ユニットをロック位置に付勢するように配置された、請求項３に記載の注射デバイス。
【請求項５】
スロットは、針ユニットをカートリッジから離さなければ針ユニットを回転させることができないように配置される、請求項１〜４のいずれか１項に記載の注射デバイス。
【請求項６】
ハウジングのスロットは、ハウジングの端部まで延び、スロットは、針ユニットがハウジングから外れるのを防止するように配置された保持部材を含む、請求項１〜５のいずれか１項に記載の注射デバイス。
【請求項７】
ハウジングの遠位端から突出するようにハウジングに摺動可能に取り付けられたニードルスリーブをさらに含む、請求項１〜６のいずれか１項に記載の注射デバイス。
【請求項８】
ニードルスリーブはスロットを含み、針ユニットのスロット係合部分は、ニードルスリーブのスロットと係合する、請求項７に記載の注射デバイス。
【請求項９】
ニードルスリーブのスロットは、ハウジングのスロットの移動部分に対応する移動部分を含み、針ユニットの回転後に、ニードルスリーブとは関係なく針ユニットを移動させることを可能にする、請求項８に記載の注射デバイス。
【請求項１０】
ニードルスリーブは、ハウジング内に摺動可能に取り付けられ、制限部材は、ニードルスリーブがハウジングに対して回転するのを妨げる、請求項７〜９のいずれか１項に記載の注射デバイス。
【請求項１１】
プランジャと、該プランジャをリザーバ内に付勢して薬剤を投薬するように配置されたばねとをさらに含み、該デバイスの使用前にプランジャを予荷重された状態で保つためにキャッチが配置され、ニードルスリーブは、ハウジング内に移動するときにキャッチを解放するように構成される、請求項７〜１０のいずれか１項に記載の注射デバイス。
【請求項１２】
針ユニットの外側部材は、１つまたはそれ以上の独立したセクションを含む、請求項１〜１１のいずれか１項に記載の注射デバイス。
【請求項１３】
カートリッジは、リザーバ内に配設された薬剤を含む、請求項１〜１２のいずれか１項に記載の注射デバイス。
【請求項１４】
注射デバイスを使用する方法であって、該注射デバイスは、ハウジングと、針、およびハウジングの外部に配設された外側部材を有する針ユニットと、薬剤用のリザーバを有するカートリッジとを含み、注射デバイスの使用前、リザーバは針から封止されており、
該方法は：
ハウジングに対して針ユニットの外側部材を回転させる工程と、
針がリザーバと流体連通するように、針ユニットをカートリッジと係合させるように移動させる工程と
を含む前記方法。
【発明の詳細な説明】
【技術分野】
【０００１】
本発明は、薬剤用の注射デバイスに関する。
【背景技術】
【０００２】
カートリッジ式注射デバイス、例えば、カートリッジ式自動注射器は、典型的には、薬剤を含む封止されたカートリッジと、最初はカートリッジから分離されている針とを有する。注射デバイスの使用前に、カートリッジと針とが組み合わされて、針がカートリッジを穿孔する。次いで、プランジャをカートリッジ内に移動させて、針を通して薬剤を投薬してユーザに注射することができる。
【発明の概要】
【発明が解決しようとする課題】
【０００３】
本発明の目的は、最初は針から封止されている薬剤用のリザーバを有するカートリッジと、使用前にカートリッジ内のリザーバと流体連通するように針を移動させるための機構とを有する有利な注射デバイスを提供することである。
【課題を解決するための手段】
【０００４】
本発明によれば、注射デバイスであって：
ロック部分を有するスロットを含むハウジングと、
針、針が取り付けられた内側部材、スロット係合部分、およびハウジングの外部に配設された外側部材を含む針ユニットであって、スロット係合部分は、内側部材からハウジングのスロットを通ってハウジングの外側部材まで延び、針ユニットは、ハウジングに対する針ユニットの動きがスロットによって制限されるようにハウジング内に可動に取り付けられた、針ユニットと、
ハウジング内に取り付けられ、薬剤用のリザーバを有し、注射デバイスの使用前にリザーバが針から封止されている、カートリッジと
を含み、
ここで、ハウジングのスロットは、針ユニットの外側部材の回転により、スロット係合部分をロック部分から外して移動させるように配置され、それにより、針ユニットをカートリッジと係合するように移動させて、針をリザーバと流体連通させることができる、
注射デバイスが提供される。
【０００５】
ハウジングのスロットは、針ユニットが回転された後、針ユニットがカートリッジに向けて移動できるようにする移動部分をさらに含む。
【０００６】
いくつかの実施形態では、注射デバイスは長手方向軸を有し、カートリッジおよび針は、針がカートリッジから軸方向に離間されるように長手方向軸と位置合わせされる。これらの例では、スロットの移動部分は軸方向に延びる。
【０００７】
注射デバイスは、針ユニットをカートリッジに向けて付勢するように配置されたばねをさらに含む。ばねは、針ユニットの回転後に、カートリッジと係合するように針ユニットを移動させるように配置される。
【０００８】
スロットのロック部分は、移動部分に対して傾斜しており、ばねは、移動部分から離れたロック部分の端部に、針ユニットをロック位置に付勢するように配置される。いくつかの例では、スロットは、針ユニットをカートリッジから離さなければ針ユニットを回転させることができないように配置される。このようにすると、ロック位置は安定し、ユーザは、針ユニットを回転させてスロット係合部分をスロットの移動部分に移動させるために、ばねの力の少なくとも一部を克服しなければならない。
【０００９】
ハウジングのスロットは、ハウジングの端部まで延び、スロットは、針ユニットがハウジングから外れるのを防止するように配置された保持部材を含む。
【００１０】
いくつかの例では、注射デバイスは、ハウジングの遠位端から突出するようにハウジングに摺動可能に取り付けられたニードルスリーブをさらに含む。
【００１１】
ニードルスリーブはスロットを含み、針ユニットのスロット係合部分は、ニードルスリーブのスロットと係合する。
【００１２】
ニードルスリーブのスロットは、ハウジングのスロットの移動部分に対応する移動部分を含み、針ユニットの回転後に、ニードルスリーブとは関係なく針ユニットを移動させることを可能にする。
【００１３】
ニードルスリーブは、ハウジング内に摺動可能に取り付けられ、制限部材は、ニードルスリーブがハウジングに対して回転するのを妨げる。制限部材は、ハウジングに対するニードルスリーブの回転を妨げるために溝と係合する。一例では、ニードルスリーブは制限部材を含み、ハウジングは溝を含む。別の例では、ハウジングは制限部材を含み、ニードルスリーブは溝を含む。
【００１４】
いくつかの例では、注射デバイスは、プランジャと、プランジャをリザーバ内に付勢して薬剤を投薬するように配置されたばねとをさらに含む。デバイスの使用前にプランジャを予荷重された状態で保つためにキャッチが配置される。ニードルスリーブは、ハウジング内に移動するときに、キャッチを解放するように構成される。
【００１５】
針ユニットの外側部材は、１つまたはそれ以上の独立したセクションを含む。
【００１６】
カートリッジは、リザーバ内に配設された薬剤を含む。
【００１７】
また、本発明の別の態様によれば、注射デバイスを使用する方法であって、注射デバイスは、ハウジングと、針、およびハウジングの外部に配設された外側部材を有する針ユニットと、薬剤用のリザーバを有するカートリッジとを含み、注射デバイスの使用前、リザーバは針から封止されており、
方法は：
ハウジングに対して針ユニットの外側部材を回転させる工程と、
針がリザーバと流体連通させるように、針ユニットをカートリッジと係合するように移動させる工程と、
を含む方法が提供される。
【００１８】
本発明のこれらおよび他の態様は、以下に述べる実施形態を参照すれば明らかになり、解明されよう。
【００１９】
ここで、本発明の実施形態を、添付の図面を参照して単なる例として述べる。
【図面の簡単な説明】
【００２０】
【図１Ａ】本発明を具現化する注射デバイス、および取外し可能なキャップの概略側面図である。
【図１Ｂ】ハウジングからキャップを取り外した、図１Ａの注射デバイスの概略側面図である。
【図２】注射デバイスの断面図である。
【図３Ａ】初期位置における図２の注射デバイスの針端部の断面図である。
【図３Ｂ】針ユニットとカートリッジとが組み合わされた後の図２の注射デバイスの針端部の断面図である。
【図３Ｃ】注射中の図２の注射デバイスの針端部の断面図である。
【図４Ａ】注射デバイスのハウジングの様々なスロットの概略図である。
【図４Ｂ】注射デバイスのハウジングの様々なスロットの概略図である。
【図４Ｃ】注射デバイスのハウジングの様々なスロットの概略図である。
【図５Ａ】注射デバイスの動作を例示する図である。
【図５Ｂ】注射デバイスの動作を例示する図である。
【図５Ｃ】注射デバイスの動作を例示する図である。
【図５Ｄ】注射デバイスの動作を例示する図である。
【発明を実施するための形態】
【００２１】
本明細書に記載の薬物送達デバイスは、患者に薬剤を注射するように構成される。例えば、送達は、皮下、筋肉内、または静脈内である。そのようなデバイスは、患者または看護師や医師などの介護者が操作することができ、様々なタイプの安全シリンジ、ペン型注射器、または自動注射器を含むことができる。デバイスは、使用前には封止されているアンプルへの穿孔を必要とするカートリッジベースのシステムを含むことができる。これらの様々なデバイスによって送達される薬剤の体積は、約０．５ｍｌ〜約２ｍｌの範囲であり得る。さらに別のデバイスは、大容量デバイス（「ＬＶＤ」）またはパッチポンプを含むことができ、ある期間（例えば、約５、１５、３０、６０、または１２０分間）にわたって患者の皮膚に付着して、「大きい」体積の薬剤（通常、約２ｍｌ〜約１０ｍｌ）を送達するように構成される。
【００２２】
また、特定の薬剤と組み合わせて、本明細書に記載のデバイスは、所要の仕様の範囲内で動作するようにカスタマイズされる。例えば、デバイスは、特定の期間内（例えば、自動注射器の場合には約３〜約２０秒、ＬＶＤの場合には約１０分〜約６０分）に薬剤を注射するようにカスタマイズされる。他の仕様には、低レベルもしくは最小レベルの不快感、または人的要因、保存寿命、使用期限、生体適合性、環境への配慮などに関連する特定の条件が含まれる。そのようなばらつきは、例えば約３ｃＰ〜約５０ｃＰの粘度の範囲内の薬物など、様々な要因により生じる可能性がある。したがって、薬物送達デバイスは、サイズが約２５〜約３１ゲージの範囲の中空針を含むことが多い。一般的なサイズは、１７および２９ゲージである。
【００２３】
本明細書に記載の送達デバイスは、１つまたはそれ以上の自動機能を含むこともできる。例えば、針とカートリッジとの組合せ、針挿入、薬剤注射、および針後退のうちの１つまたはそれ以上を自動化することができる。１つまたはそれ以上の自動化工程のためのエネルギーは、１つまたはそれ以上のエネルギー源によって提供することができる。エネルギー源は、例えば、機械的、空気圧的、化学的、または電気的エネルギーを含む。例えば、機械的エネルギー源としては、エネルギーを蓄積または解放するためのばね、てこ、エラストマー、または他の機械的機構が挙げられる。１つまたはそれ以上のエネルギー源を単一のデバイスに組み合わせることができる。デバイスは、エネルギーをデバイスの１つまたはそれ以上の構成要素の動きに変換するためのギア、バルブ、または他の機構をさらに含むことができる。
【００２４】
自動注射器の１つまたはそれ以上の自動機能は、それぞれ起動機構によって起動される。そのような起動機構としては、アクチュエータ、例えば、ボタン、レバー、ニードルスリーブ、または他の起動構成要素のうちの１つまたはそれ以上が挙げられる。自動機能の起動は、ワンステップまたはマルチステップのプロセスである。すなわち、ユーザは、自動機能を引き起こすために、１つまたはそれ以上の起動構成要素を起動させる必要がある。例えば、ワンステッププロセスにおいて、ユーザは、薬剤の注射を引き起こすために、自分の身体にニードルスリーブを押し当てる。他のデバイスは、自動機能のマルチステップ起動を必要とする。例えば、ユーザは、注射を引き起こすために、ボタンを押し下げて、ニードルシールドを後退させる必要がある。
【００２５】
さらに、１つの自動機能の起動により、１つまたはそれ以上の後続の自動機能が起動され、それにより起動シーケンスを形成する。例えば、第１の自動機能の起動が、針とカートリッジとの組合せ、針挿入、薬剤注射、および針後退のうちの少なくとも２つを起動させる。また、いくつかのデバイスは、１つまたはそれ以上の自動機能を生じさせるために特定の工程シーケンスを必要とする。他のデバイスは、一連の独立した工程で動作する。
【００２６】
いくつかの送達デバイスは、安全シリンジ、ペン型注射器、または自動注射器の１つまたはそれ以上の機能を含むことができる。例えば、送達デバイスは、（自動注射器において通常見られるような）薬剤を自動的に注射するように構成された機械的エネルギー源と、（ペン型注射器において通常見られるような）用量設定機構とを含むことができる。
【００２７】
本開示のいくつかの実施形態によれば、例示的な薬物送達デバイス１０が、図１Ａおよび１Ｂに示されている。上述したデバイス１０は、患者の体内に薬剤を注射するように構成される。デバイス１０は、典型的には注射すべき薬剤を含むリザーバを画成するカートリッジを含むハウジング１１と、送達プロセスの１つまたはそれ以上の工程を容易にするために必要とされる構成要素とを含む。
【００２８】
デバイス１０は、ハウジング１１に取外し可能に取り付けることができるキャップ１２も含むことができる。通常、ユーザは、キャップ１２をハウジング１１から取り外さないと、デバイス１０を操作することができない。
【００２９】
図示されるように、ハウジング１１は、実質的に円筒形であり、長手方向軸Ａ−Ａに沿って実質的に一定の直径を有する。ハウジング１１は、遠位領域Ｄおよび近位領域Ｐを有する。「遠位」という用語は、注射部位に比較的近い場所を表し、「近位」という用語は、注射部位から比較的遠い場所を表す。
【００３０】
デバイス１０はニードルスリーブ１９も含むことができ、ニードルスリーブ１９は、ハウジング１１に対するスリーブ１９の動きを可能にするようにハウジング１１に連結される。例えば、スリーブ１９は、長手方向軸Ａ−Ａに平行な長手方向で移動することができる。具体的には、近位方向のスリーブ１９の動きは、針１７がハウジング１１の遠位領域Ｄから延びることを可能にする。
【００３１】
針１７の挿入は、いくつかの機構によって行うことができる。例えば、針１７は、ハウジング１１に対して固定されて位置し、最初は、延ばされたニードルスリーブ１９内に位置することがある。スリーブ１９の遠位端を患者の身体に当て、ハウジング１１を遠位方向に移動させることによるスリーブ１９の近位運動が、針１７の遠位端を露出させる。そのような相対運動により、針１７の遠位端が患者の体内に延びることができる。そのような挿入は、患者がハウジング１１をスリーブ１９に対して手で動かすことによって針１７が手動で挿入されるので、「手動」挿入と呼ばれる。
【００３２】
別の挿入形態は「自動」であり、針１７がハウジング１１に対して移動する。そのような挿入は、スリーブ１９の動きによって、または例えばボタン１３など別の起動形態によってトリガすることができる。図１Ａおよび１Ｂに示されるように、ボタン１３は、ハウジング１１の近位端に位置する。しかし、他の実施形態では、ボタン１３は、ハウジング１１の側面に位置させることができる。
【００３３】
他の手動または自動機能は、薬物注射もしくは針後退、またはそれら両方を含むことができる。注射は、栓またはピストン１４がカートリッジ１８のリザーバ内の近位位置からより遠位の位置に移動されて、カートリッジ１８から針１７を通して薬剤を押し出すプロセスである。いくつかの実施形態では、デバイス１０が起動される前に、駆動ばね（図示せず）は圧縮されている。駆動ばねの近位端は、ハウジング１１の近位領域Ｐ内に固定することができ、駆動ばねの遠位端は、ピストン１４の近位面に圧縮力を加えるように構成することができる。起動後、駆動ばねに蓄積されたエネルギーの少なくとも一部を、ピストン１４の近位面に加えることができる。この圧縮力は、ピストン１４に作用して、ピストンを遠位方向に移動させることができる。そのような遠位運動は、カートリッジ１８内の液体薬剤を圧縮するように作用し、液体薬剤を針１７から押し出す。
【００３４】
注射後、針１７は、スリーブ１９またはハウジング１１内に後退させることができる。後退は、ユーザが患者の身体からデバイス１０を取り外す際にスリーブ１９が遠位方向に移動するときに生じる。これは、針１７がハウジング１１に対して固定されて位置したままである場合に生じる。スリーブ１９の遠位端が針１７の遠位端を越えて移動し、針１７が覆われると、スリーブ１９をロックすることができる。そのようなロックは、ハウジング１１に対するスリーブ１９の近位運動をロックすることを含むことができる。
【００３５】
針１７がハウジング１１に対して移動される場合、別の形態の針後退が生じる。そのような動きは、ハウジング１１内のカートリッジ１８がハウジング１１に対して近位方向に移動される場合に生じる。この近位運動は、遠位領域Ｄに位置した収縮ばね（図示せず）を使用することによって実現することができる。圧縮された収縮ばねは、起動されるとき、カートリッジ１８を近位方向に移動させるのに十分な力をカートリッジ１８に供給することができる。十分な後退後、ロッキング機構を用いて、針１７とハウジング１１との相対運動をロックすることができる。さらに、必要に応じて、ボタン１３、またはデバイス１０の他の構成要素をロックすることができる。
【００３６】
図２は、ハウジング２１、カートリッジ２２、および針ユニット２３を有する例示的な注射デバイス２０を例示する。注射デバイス２０は、例示のように、ピストン２４と、ピストン駆動機構２５と、最初はキャップ２７によって覆われているニードルスリーブ２６とをさらに含む。
【００３７】
カートリッジ２２は、薬剤を含むリザーバ２８を画成し、ハウジング２１内部に取り付けられる。カートリッジ２２の遠位端Ｄは、エンドキャップ２９によって封止される。ハウジング２１のカートリッジ取付部分（cartridge mounting portion）３０が、カートリッジ２２を支持する。
【００３８】
図２に示されるように、初期状態では、針ユニット２３の針３１は、カートリッジ２２の遠位端でエンドキャップ２９から離間されている。注射デバイス２０の使用前または使用中、針ユニット２３は、カートリッジ２２の遠位端と係合するように移動されて、針３１がカートリッジ２２のエンドキャップ３０を穿孔する。このようにして、以下でさらに説明するように、リザーバ２８から針３１を通して薬剤を排出することができる。
【００３９】
図２に例示される初期状態では、ピストン２４は、カートリッジ２２内のリザーバ２８の近位端に配設され、ピストン駆動機構２５は、ハウジング２１の近位端に配設される。ピストン駆動機構２５は、ばね３２、プランジャ３３、およびキャッチ３４を含む。ばね３２は、使用中にリザーバ２８から薬剤を排出するために、プランジャ３３をピストン２４に対して付勢してカートリッジ２２に押し込むように配置される。例示のように、使用前の初期位置では、ばね３２はキャッチ３４によって圧縮状態に保たれている。具体的には、キャッチ３４はプランジャ３３を保持し、プランジャ３３は、ばね３２を圧縮状態で保って、ピストン２４に力が加えられないようにしている。
【００４０】
以下でさらに説明するように、注射デバイス２０は、アクチュエータによって作動され、この例では、ハウジング２１内で摺動可能であり、ハウジング２１の遠位端から突出するニードルスリーブ２６によって作動される。このようにして、使用中、ニードルスリーブ２６がユーザの皮膚に当てられ、注射デバイス２０が、ハウジング２１を保持しながらユーザの皮膚に向けて押され、これにより、ニードルスリーブ２６が近位方向へハウジング２１内に移動される。
【００４１】
ニードルスリーブ２６は、近位方向へハウジング２１内に移動すると、キャッチ３４を解放するように作用する。キャッチ３４が解放されたとき、ばね３２は、プランジャ３３をピストン２４に対して付勢してリザーバ２８に押し込む。
【００４２】
図２に例示されるように、キャッチ３４は、プランジャ３３およびばね３２を取り囲む管状要素３５を含む。管状要素３５は、プランジャ３３の凹部３７と係合する突起部３６を含み、図２に例示される位置で、プランジャ３３は、突起部３６および凹部３７によって遠位方向への移動を妨げられる。
【００４３】
ニードルスリーブ２６が近位方向へハウジング２１内に移動されるとき、ニードルスリーブ２６の端部が管状要素３５と係合し、管状要素３５を注射デバイス２０の軸Ａの周りで回転させる。この回転により、突起部３６が凹部３７から係合解除され、それによりプランジャ３３を解放し、次いでプランジャは、ばね３２の力の下でリザーバ２８内に移動する。
【００４４】
一例では、管状要素３５と係合するニードルスリーブ２６の端部は、回転を引き起こすために管状要素３５の突起部と係合する面取り（すなわち、傾斜した縁部）を含む。他の例では、管状要素３５が、回転を引き起こすためにニードルスリーブ２６の突起部と係合される面取り（すなわち、傾斜した縁部）を含む。
【００４５】
他の例では、キャッチ３４が、プランジャ３３と係合する突起部を含むアームを含む。この場合、ニードルスリーブ２６は、アームを持ち上げることによりアームを偏向させて、突起部を凹部から係合解除し、それによりプランジャ３３を解放する。
【００４６】
使用前または使用中、針ユニット２３は、キャッチ３４が解放される前にカートリッジ２２と組み合わされる。以下で説明するように、針ユニット２３を回転させると、針ユニット２３がハウジング２１内で軸方向に移動してカートリッジ２２と係合し、その後、ニードルスリーブ２６が近位方向に移動するとき、キャッチ３４が解放され、プランジャ３３が針３１を通して薬剤の送達を開始する。
【００４７】
図３Ａは、使用前の注射デバイス２０の初期状態を例示する。例示のように、ハウジング２１は、遠位端が管状であり、針ユニット２３は、ハウジング２１に取り付けられている。特に、針ユニット２３は、針３１が取り付けられる内側部材３８と、ハウジング２１の外周面に配設される外側部材３９と、ハウジング２１のスロット４１を通って延びて内側部材３８を外側部材３９に接合するスロット係合部分４０とを含む。
【００４８】
ハウジング２１は、１つのスロット４１または複数のスロット、例えば２つ、３つ、または４つのスロットを含む。針ユニット２３は、同数のスロット係合部分４０を含み、したがって、各スロット４１に対して１つのスロット係合部分４０が存在する。針ユニット２３の外側部材３９は、スロット係合部分４０の端部に接合される独立した部材である。このようにすると、外側部材３９は、必ずしもハウジング２１の全周にわたって延びる必要はなく、ユーザが作動させることができる１つまたはそれ以上のボタンでよい。
【００４９】
針ユニット２３は、注射デバイス２０の長手方向軸Ａの周りを回転することができ、かつハウジング２１内で軸方向に移動できるように、ハウジング２１に取り付けられる。カートリッジ２２は、ハウジング２１内に固定されるようにハウジング２１に取り付けられる。特に、例示のように、ハウジング２１は、カートリッジ２２の少なくとも一部を取り囲み、カートリッジを所定の位置に保持するカートリッジ取付部分３０を含む。例示される例では、カートリッジ取付部分３０は、カートリッジ２２の遠位端を取り囲む。
【００５０】
さらに、例示のように、ニードルスリーブ２６は、ハウジング２１の遠位端に摺動可能に取り付けられる。ニードルスリーブ２６は、軸方向に摺動できるが回転はできないように取り付けられる。例えば、ニードルスリーブ２６は、ハウジング２１の内面の溝と係合して、軸方向摺動を可能にするが回転はできないようにする制限部材を含む。代替として、ニードルスリーブ２６は溝を含み、ハウジング２１は、溝と係合して軸方向摺動を可能にするが回転はできないようにする制限部材を含む。さらに、ニードルスリーブ２６および／またはハウジング２１は、ニードルスリーブ２６がハウジング２１から外れる（すなわち、図３Ａに示される位置から遠位方向に移動する）のを防止する突起部を含む。
【００５１】
また、ニードルスリーブ２６はスロット（図３Ａには図示せず）を含み、スロットを通って、針ユニット２３のスロット係合部分４０が延びる。ニードルスリーブ２６のスロットは、ハウジング２１のスロット４１に対応する。
【００５２】
例示のように、ばね４２は、針ユニット２３とニードルスリーブ２６との間に配設され、針ユニット２３とニードルスリーブ２６とを付勢して離し、ニードルスリーブ２６は、ハウジング２１から離れる遠位方向に付勢され、針ユニット２３は、カートリッジ２２に向けて近位方向に付勢される。
【００５３】
ハウジング２１のスロット４１の様々な例が、図４Ａ〜４Ｃに例示されている。これらの例では、スロット４１は、ロック部分４３および移動部分４４を含む。例示のように、針ユニット（２３、図３Ａを参照）のスロット係合部分４０がスロット４１のロック部分４３に位置しており、ばね（４２、図３Ａを参照）が針ユニット（２３、図３Ａを参照）を近位方向に付勢している状態のとき、スロット係合部分４０は、移動部分４４から遠いロック部分４３の端部に付勢される。したがって、ハウジング２１に対する針ユニット（２３、図３Ａ参照）の位置は「ロック」される。
【００５４】
図３Ａおよび図４Ａ〜４Ｃを参照すると、ハウジング２１に対する針ユニット２３の回転により、針ユニット２３のスロット係合部分４０が、ロック部分４３から外れて移動部分４４に移動され、ばね４２が針ユニット２３をハウジング２１に対して近位方向に移動させる。
【００５５】
図示されるように、スロット４１の移動部分４４は、遠位端と近位端との間で、注射デバイス２０の軸Ａに平行な方向に延びる。ロック部分４３は、移動部分４４に対して傾斜している。ロック部分４３と移動部分４４とが成す角度は、ロック部分４３と移動部分４４との両方の遠位端に頂点４５が画成されるような角度である。このようにすると、針ユニット２３のスロット係合部分４０をロック部分４３から移動部分４４に移動させる、すなわち針ユニット２３を「ロック解除」するために、針ユニット２３を遠位方向に少し移動させ、回転させなければならない。
【００５６】
図４Ａの例では、スロット４１は、ハウジング２１の遠位端に延びる部分４６も含む。図４Ｂの例では、スロット４１に保持部材４７が配設されて、ハウジング２１の遠位端まで延びるスロット４１の部分４６に針ユニット２３のスロット係合部分４０が入るのを防止する。それにより、保持部材４７は、針ユニット２３がハウジング２１から外れるのを防止する。代替として、図４Ｃに例示されるように、スロット４１は、ハウジング２１の遠位端まで延びる部分を含まない。この例では、スロット４１は、ロック部分４３および移動部分４４のみを含む。
【００５７】
ニードルスリーブ２６のスロット（４８、図３Ｂおよび３Ｃを参照）は、ハウジング２１のスロット４１に対応する。具体的には、スロット４１、４８はどちらもロック部分４３および移動部分４４を含み、これらの部分が互いに位置合わせされる。このようにすると、ハウジング２１に対する針ユニット２３の回転および軸方向運動は、ニードルスリーブ２６とは無関係であり、したがって、ニードルスリーブ２６は、針ユニット２３がカートリッジ２２と係合するように移動される間、同じ位置に留まることができる。
【００５８】
図３Ａに例示される初期状態では、ばね４２は圧縮されており、構成要素は、ハウジング２３のスロット４１およびニードルスリーブ２６のスロット４８により、この状態で保持される。特に、この初期状態では、ばね４２は、針ユニット２３のスロット係合部分４０をハウジング２１のスロット４１内部のロック位置に付勢しており、また、スロット係合部分４０をニードルスリーブ２６のスロット４８内部のロック位置に付勢している。
【００５９】
針ユニット２３は、針ユニット２３の外側部材３９を把持し、ハウジング２１に対して針ユニット２３を回転させることにより、ユーザによって回転される。これは、針ユニット２３のスロット係合部分４０を、ロック部分４３から外してスロット４１の移動部分４４に移動させる。また、針ユニット２３の回転は、スロット係合部分４０をニードルスリーブ２６のスロット４８の移動部分に移動させる。
【００６０】
これにより、ばね４２は、針ユニット２３を近位方向に移動させることができるようになる。図３Ｂは、針ユニット２３が回転された後の針ユニット２３およびニードルスリーブ２６の位置を例示する。図示されるように、針ユニット２３は近位方向に移動し、カートリッジ２２と係合している。特に、針３１は、カートリッジ２２の端部キャップ２９を穿孔しており、針３１はリザーバ２８と流体連通し、針３１を通してカートリッジ２２から薬剤を送達することができる。
【００６１】
図３Ｂに例示されるように、スロット係合部分４０は、ハウジング２１のスロット４１に沿って移動するのと同時に、ニードルスリーブ２６のスロット４８に沿って移動するので、ニードルスリーブ２６は、図３Ａの初期位置と同じ位置にある。したがって、針ユニット２３の回転後、針ユニット２３は、カートリッジ２２と係合するように移動し、ニードルスリーブ２６は同じ位置に留まる（すなわち、ハウジング２１の遠位端から突出している）。
【００６２】
上述の例では、ニードルスリーブ２６のスロット４８はまた、針ユニット２３が回転されるまで、ニードルスリーブ２６が近位方向に移動する（プランジャ３３を解放する；図２を参照）のを妨げる。すなわち、スロット係合部分４０とニードルスリーブ２６のスロット４８との間のロック位置は、針ユニット２３が回転されてスロット係合部分４０をニードルスリーブ２６のスロット４８の移動部分に移動させるまで、ハウジング２１へのニードルスリーブ２６の動きを妨げる。したがって、針ユニット２３が回転されて、針ユニット２３とカートリッジ２２とが係合するまで、キャッチ（３４、図２を参照）およびプランジャ（３３、図２を参照）を解放することはできない。
【００６３】
図３Ａ〜３Ｃに例示されているように、針ユニット２３は、針ユニット２３がカートリッジ２２と係合するように移動するときにカートリッジ２２と係合するロック部材４９をさらに含む。特に、針ユニット２３は、ハウジング２１のカートリッジ取付部分３０と係合するスナップロック部材（snap-lock part）４９を有する。したがって、針ユニット２３が図３Ｂに例示されている位置に到達すると、針ユニット２３は、カートリッジ取付部分３０に「ロック」され、カートリッジ２２に対してロックされる。
【００６４】
スナップロック部材４９は、１対の可撓性アームを含み、各アームが端部にキャッチ５０を有する。キャッチ５０は、カートリッジ２２の近傍で、ハウジング２１のカートリッジ取付部分３０の部材５１に掛止するように適用される。代替として、キャッチ５０は、カートリッジ２２の近傍で、例えばカートリッジ取付部分３０でハウジング２１に位置する凹部に掛止するように適用される。代替として、キャッチ５０は、カートリッジ２２自体のキャッチまたは凹部に掛止するように適用される。
【００６５】
その後、注射デバイス２０は、ニードルスリーブ２６の遠位端をユーザの皮膚に押し当て、それによりニードルスリーブ２６が近位方向へハウジング２１内に移動して針３１を露出させることによって使用される。また、図２を参照して述べたように、ニードルスリーブ２６のそのような軸方向近位運動は、キャッチ３４を解放し、プランジャ３３による薬剤の送達を開始する。
【００６６】
注射デバイス２０の動作が、図５Ａ〜５Ｄを参照して例示されている。
【００６７】
図５Ａは、注射デバイス２０の初期状態を示し、キャップ２７がニードルスリーブ２６を覆い、針３１がカートリッジ２２から離間されている。図示されるように、針ユニット２３の内側部材３８のロック部材４９は、ハウジング２１のカートリッジ取付部分３０の一部と接触しており、針ユニット２３がカートリッジ２２に向けて移動されるときに針ユニット２３を案内するように作用する。
【００６８】
この状態では、針ユニット２３のスロット係合部分４０は、ハウジング２１のスロット４０のロック部分（４３、図４Ａ〜４Ｃを参照）およびニードルスリーブ２６のスロット（４８、図３Ｂおよび３Ｃを参照）のロック部分に配設され、それにより、針ユニット２３の位置は、ハウジング２１およびカートリッジ２２に対してロックされる。さらに、ニードルスリーブ２６のスロット（４８、図３Ｂおよび３Ｃを参照）は、ニードルスリーブ２６がハウジング２１に対して近位方向に移動するのを妨げる。
【００６９】
キャップ２７が取り外されたとき、針ユニット２３の外側部材３９を使用して針ユニット２３を回転させることができる。図５Ｂは、針ユニット２３が回転される前の注射デバイス２０を示し、図５Ｃは、針ユニット２３が回転された後の注射デバイス２０を示す。針ユニット２３の回転により、針ユニット２３のスロット係合部分４０が、ハウジング２１のスロット４１の移動部分４４およびニードルスリーブ２６のスロット４８の移動部分に移動する。したがって、針ユニット２３は、ハウジング２１およびニードルスリーブ２６に対して軸方向に自由に移動でき、ばね４２は、図５Ｃに示されるように、カートリッジ２２と係合するように針ユニット２３を押す。
【００７０】
図５Ｃの状態では、針３１は、カートリッジ２２の端部キャップ２９を穿孔しており、リザーバ２８と流体連通している。ロック部材４９は、針ユニット２３をハウジング２１のカートリッジ取付部分３０にロックしている。ここで、注射デバイス２０は、針３１を通して薬剤を投薬することができる。
【００７１】
図５Ｄに示されるように、注射プロセスを開始するために、ニードルスリーブ２６は、ユーザの皮膚に押し当てられて、近位方向へハウジング２１内に移動し、それにより針３１を露出させ、針３１がユーザの皮膚を穿孔する。また、先に説明したように、近位方向へのニードルスリーブ２６の動きは、キャッチ（３４、図２を参照）を係合解除し、プランジャ（３３、図２を参照）を解放し、それにより、ばね（３２、図２を参照）がプランジャ（３３、図２を参照）をカートリッジ２２に押し込み、針３１を通して薬剤を投薬する。ニードルスリーブ２６が近位方向に移動するとき、ニードルスリーブ２６のスロット４８は、ニードルスリーブ２６が針ユニット２３とは関係なく移動できるようにし、針ユニット２３は、カートリッジ２２でのその係合位置に留まる。
【００７２】
注射プロセスが完了し、注射デバイス２０がユーザの皮膚から取り外されると、ばね４２は、ニードルスリーブ２６を付勢して伸長位置（図５Ｃ）に戻し、したがって針３１は再び覆われる。
【００７３】
様々な例において、注射デバイス２０は、ニードルスリーブ２６を含まない。これらの例では、ユーザが、針ユニット２３を回転させ、軸方向に動かしてカートリッジ２２と係合させ、次いで、異なるアクチュエータによって、例えば針３１が皮膚に挿入された後にユーザが押すボタンまたはレバーによって注射プロセス（すなわち、キャッチ３４の解放。図２を参照）を実施することができる。これらの例では、ばね４２は省かれる。いくつかの例では、代替のばねを設けることができ、ハウジング２１と針ユニット２３との間で作用して、使用前に針ユニット２３のスロット係合部分４０をハウジング２１のスロット４１のロック部分４３に付勢し、針ユニット２３の回転後に針ユニット２３を付勢してカートリッジ２２と係合させる。他の例では、ばねは設けられておらず、ユーザは、針ユニット２３を回転させ、次いで針ユニット２３をカートリッジ２２へ摺動することによって、針ユニット２３を手動で移動させてカートリッジ２２と係合させる。
【００７４】
さらに、プランジャ３３は、図２に例示されているようにばね３２によって駆動されないことを理解されたい。例えば、プランジャ３３を手動で操作して、針ユニット２３の回転後、ユーザがプランジャ３３をカートリッジ２２に押し込む。代替として、針ユニット２３の回転後にプランジャ３３をカートリッジ２２内に移動させるために、モータまたはリニアドライブ機構（linear drive mechanism）が提供される。
【００７５】
用語「薬物」または「薬剤」は、本明細書において同意語として使用され、１つまたはそれ以上の医薬品有効成分または薬学的に許容されるその塩もしくは溶媒和物と、場合により、薬学的に許容される担体とを含む医薬製剤を示す。医薬品有効成分（「ＡＰＩ」）とは、最も広範な言い方で、ヒトまたは動物に生物学的影響を及ぼす化学構造のことである。薬理学では、薬物または薬剤が、疾患の処置、治療、予防、または診断に使用され、またはそれとは別に、身体的または精神的健康を向上させるために使用される。薬物または薬剤は、限られた継続期間、または慢性疾患では定期的に、使用される。
【００７６】
以下に説明されるように、薬物または薬剤は、１つまたはそれ以上の疾患を処置するための、様々なタイプの製剤の少なくとも１つのＡＰＩ、またはその組合せを含むことができる。ＡＰＩの例としては、分子量が５００Ｄａ以下である低分子；ポリペプチド、ペプチド、およびタンパク質（例えばホルモン、成長因子、抗体、抗体フラグメント、および酵素）；炭水化物および多糖類；ならびに核酸、二本鎖または一本鎖ＤＮＡ（裸およびｃＤＮＡを含む）、ＲＮＡ、アンチセンスＤＮＡおよびＲＮＡなどのアンチセンス核酸、低分子干渉ＲＮＡ（ｓｉＲＮＡ）、リボザイム、遺伝子、およびオリゴヌクレオチドが含まれ得る。核酸は、ベクター、プラスミド、またはリポソームなどの分子送達システムに組み込まれる。１つまたはそれ以上の薬物の混合物もまた企図される。
【００７７】
薬物または薬剤は、薬物送達デバイスで使用するように適用された主要パッケージまたは「薬物容器」内に含まれる。薬物容器は、例えば、カートリッジ、シリンジ、リザーバ、または１つもしくはそれ以上の薬物の保存（例えば短期または長期保存）に適したチャンバを提供するように構成された他の固体もしくは可撓性の容器とすることができる。例えば、場合によって、チャンバは、少なくとも１日（例えば１日から少なくとも３０日まで）の間薬物を収納するように設計される。場合によって、チャンバは、約１ヶ月から約２年の間薬物を保存するように設計される。保存は、室温（例えば約２０℃）または冷蔵温度（例えば約−４℃から約４℃まで）で行うことができる。場合によって、薬物容器は、投与予定の医薬製剤の２つまたはそれ以上の成分（例えばＡＰＩおよび希釈剤、または２つの異なるタイプの薬物）を別々に、各チャンバに１つずつ保存するように構成された二重チャンバカートリッジとすることができ、またはこれを含むことができる。そのような場合、二重チャンバカートリッジの２つのチャンバは、ヒトまたは動物の体内に投薬する前、および／または投薬中に２つまたはそれ以上の成分間で混合することを可能にするように構成される。例えば、２つのチャンバは、これらが（例えば２つのチャンバ間の導管によって）互いに流体連通し、所望の場合、投薬の前にユーザによって２つの成分を混合することを可能にするように構成される。代替的に、またはこれに加えて、２つのチャンバは、成分がヒトまたは動物の体内に投薬されているときに混合することを可能にするように構成される。
【００７８】
本明細書において説明される薬物送達デバイス内に含まれる薬物または薬剤は、数多くの異なるタイプの医学的障害の処置および／または予防に使用される。障害の例としては、例えば、糖尿病、または糖尿病性網膜症などの糖尿病に伴う合併症、深部静脈血栓塞栓症または肺血栓塞栓症などの血栓塞栓症が含まれる。障害の別の例としては、急性冠症候群（ＡＣＳ）、狭心症、心筋梗塞、がん、黄斑変性症、炎症、枯草熱、アテローム性動脈硬化症および／または関節リウマチがある。ＡＰＩおよび薬物の例としては、例えば、それだけには限らないが、ハンドブックのＲｏｔｅ  Ｌｉｓｔｅ  ２０１４、主グループ１２（抗糖尿病薬物）または主グループ８６（腫瘍薬物）、およびＭｅｒｃｋ  Ｉｎｄｅｘ、第１５版などに記載されているものがある。
【００７９】
１型もしくは２型の糖尿病、または１型もしくは２型の糖尿病に伴う合併症の処置および／または予防のためのＡＰＩの例としては、インスリン、例えばヒトインスリン、またはヒトインスリン類似体もしくは誘導体、グルカゴン様ペプチド（ＧＬＰ−１）、ＧＬＰ−１類似体もしくはＧＬＰ−１受容体アゴニスト、またはその類似体もしくは誘導体、ジペプチジルペプチダーゼ−４（ＤＰＰ４）阻害剤、または薬学的に許容されるその塩もしくは溶媒和物、またはそれらの任意の混合物が含まれる。本明細書において使用される用語「類似体」および「誘導体」は、天然のペプチドの構造、例えばヒトのインスリンの構造から、天然のペプチド中に見出される少なくとも１つのアミノ酸残基を欠失させるおよび／もしくは交換することによって、ならびに／または少なくとも１つのアミノ酸残基を付加することによって式上で得られる分子構造を有するポリペプチドを指す。付加および／または交換されるアミノ酸残基は、コード可能なアミノ酸残基、または他の天然の残基もしくは完全に合成によるアミノ酸残基とすることができる。インスリン類似体は「インスリン受容体リガンド」とも呼ばれる。特に、用語「誘導体」は、１つまたはそれ以上の有機置換基（例えば、脂肪酸）が１つまたはそれ以上のアミノ酸に結合している、天然のペプチドの構造、例えばヒトのインスリンの構造から式上で得られる分子構造を有するポリペプチドを指す。場合により、天然のペプチド中に見出される１つまたはそれ以上のアミノ酸が、欠失され、かつ／もしくはコード不可能なアミノ酸を含む他のアミノ酸によって置換されていてもよく、または、コード不可能なアミノ酸を含むアミノ酸が、天然のペプチドに付加されていてもよい。
【００８０】
インスリン類似体の例としては、Ｇｌｙ（Ａ２１），Ａｒｇ（Ｂ３１），Ａｒｇ（Ｂ３２）ヒトインスリン（インスリングラルギン）；Ｌｙｓ（Ｂ３），Ｇｌｕ（Ｂ２９）ヒトインスリン（インスリングルリジン）；Ｌｙｓ（Ｂ２８），Ｐｒｏ（Ｂ２９）ヒトインスリン（インスリンリスプロ）；Ａｓｐ（Ｂ２８）ヒトインスリン（インスリンアスパルト）；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置換されているヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンがある。
【００８１】
インスリン誘導体の例としては、例えば、Ｂ２９−Ｎ−ミリストイル−ｄｅｓ（Ｂ３０）ヒトインスリン；Ｌｙｓ（Ｂ２９）（Ｎ−テトラデカノイル）−ｄｅｓ（Ｂ３０）ヒトインスリン（インスリンデテミル、Ｌｅｖｅｍｉｒ（登録商標））、Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−ω−カルボキシヘプタデカノイル−γ−Ｌ−グルタミル−ｄｅｓ（Ｂ３０）ヒトインスリン（インスリンデグルデク、Ｔｒｅｓｉｂａ（登録商標））、Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンがある。
【００８２】
ＧＬＰ−１、ＧＬＰ−１類似体およびＧＬＰ−１受容体アゴニストの例としては、例えば、リキシセナチド（Ｌｙｘｕｍｉａ（登録商標））、エキセナチド（エキセンディン−４、Ｄｙｅｔｔａ（登録商標）、Ｂｙｄｕｒｅｏｎ（登録商標）、アメリカドクトカゲの唾液腺によって産生される３９アミノ酸ペプチド）、リラグルチド（Ｖｉｃｔｏｚａ（登録商標））、セマグルチド、タスポグルチド、アルビグルチド（Ｓｙｎｃｒｉａ（登録商標））、デュラグルチド（Ｔｒｕｌｉｃｉｔｙ（登録商標））、ｒエキセンディン−４、ＣＪＣ−１１３４−ＰＣ、ＰＢ−１０２３、ＴＴＰ−０５４、ラングレナチド／ＨＭ−１１２６０Ｃ、ＣＭ−３、ＧＬＰ−１エリゲン（Ｅｌｉｇｅｎ）、ＯＲＭＤ−０９０１、ＮＮ−９９２４、ＮＮ−９９２６、ＮＮ−９９２７、ノデキセン（Ｎｏｄｅｘｅｎ）、ビアドール（Ｖｉａｄｏｒ）−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド−ＸＴＥＮおよびグルカゴン−Ｘｔｅｎがある。
【００８３】
オリゴヌクレオチドの例としては、例えば：家族性高コレステロール血症の処置のためのコレステロール低下アンチセンス治療薬である、ミポメルセンナトリウム（Ｋｙｎａｍｒｏ（登録商標））がある。
【００８４】
ＤＰＰ４阻害剤の例としては、ビルダグリプチン、シタグリプチン、デナグリプチン、サキサグリプチン、ベルベリンがある。
【００８５】
ホルモンの例としては、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、およびゴセレリンなどの、脳下垂体ホルモンまたは視床下部ホルモンまたは調節性活性ペプチドおよびそれらのアンタゴニストが含まれる。
【００８６】
多糖類の例としては、グルコサミノグリカン、ヒアルロン酸、ヘパリン、低分子量ヘパリン、もしくは超低分子量ヘパリン、またはそれらの誘導体、または上述の多糖類の硫酸化形態、例えば、ポリ硫酸化形態、および／または、薬学的に許容されるそれらの塩が含まれる。ポリ硫酸化低分子量ヘパリンの薬学的に許容される塩の例としては、エノキサパリンナトリウムがある。ヒアルロン酸誘導体の例としては、ハイランＧ−Ｆ２０（Ｓｙｎｖｉｓｃ（登録商標））、ヒアルロン酸ナトリウムがある。
【００８７】
本明細書において使用する用語「抗体」は、免疫グロブリン分子またはその抗原結合部分を指す。免疫グロブリン分子の抗原結合部分の例には、抗原を結合する能力を保持するＦ（ａｂ）およびＦ（ａｂ’）２フラグメントが含まれる。抗体は、ポリクローナル、モノクローナル、組換え型、キメラ型、非免疫型またはヒト化、完全ヒト型、非ヒト型（例えばネズミ）、または一本鎖抗体とすることができる。いくつかの実施形態では、抗体はエフェクター機能を有し、補体を固定することができる。いくつかの実施形態では、抗体は、Ｆｃ受容体と結合する能力が低く、または結合することはできない。例えば、抗体は、アイソタイプもしくはサブタイプ、抗体フラグメントまたは変異体とすることができ、これはＦｃ受容体との結合を支持せず、例えば、突然変異した、または欠失したＦｃ受容体結合領域を有する。用語の抗体はまた、四価二重特異性タンデム免疫グロブリン（ＴＢＴＩ）および／または交差結合領域の配向性を有する二重可変領域抗体様結合タンパク質（ＣＯＤＶ）に基づく抗体結合分子を含む。
【００８８】
用語「フラグメント」または「抗体フラグメント」は、全長抗体ポリペプチドを含まないが、抗原と結合することができる全長抗体ポリペプチドの少なくとも一部分を依然として含む、抗体ポリペプチド分子（例えば、抗体重鎖および／または軽鎖ポリペプチド）由来のポリペプチドを指す。抗体フラグメントは、全長抗体ポリペプチドの切断された部分を含むことができるが、この用語はそのような切断されたフラグメントに限定されない。本発明に有用である抗体フラグメントは、例えば、Ｆａｂフラグメント、Ｆ（ａｂ’）２フラグメント、ｓｃＦｖ（一本鎖Ｆｖ）フラグメント、直鎖抗体、単一特異性抗体フラグメント、または二重特異性、三重特異性、四重特異性および多重特異性抗体（例えば、ダイアボディ、トリアボディ、テトラボディ）などの多重特異性抗体フラグメント、一価抗体フラグメント、または二価、三価、四価および多価抗体などの多価抗体フラグメント、ミニボディ、キレート組換え抗体、トリボディまたはバイボディ、イントラボディ、ナノボディ、小モジュラー免疫薬（ＳＭＩＰ）、結合ドメイン免疫グロブリン融合タンパク質、ラクダ化抗体、およびＶＨＨ含有抗体を含む。抗原結合抗体フラグメントのさらなる例が当技術分野で知られている。
【００８９】
用語「相補性決定領域」または「ＣＤＲ」は、特異的抗原認識を仲介する役割を主に担う重鎖および軽鎖両方のポリペプチドの可変領域内の短いポリペプチド配列を指す。用語「フレームワーク領域」は、ＣＤＲ配列ではなく、ＣＤＲ配列の正しい位置決めを維持して抗原結合を可能にする役割を主に担う重鎖および軽鎖両方のポリペプチドの可変領域内のアミノ酸配列を指す。フレームワーク領域自体は、通常、当技術分野で知られているように、抗原結合に直接的に関与しないが、特定の抗体のフレームワーク領域内の特定の残基が、抗原結合に直接的に関与することができ、またはＣＤＲ内の１つまたはそれ以上のアミノ酸が抗原と相互作用する能力に影響を与えることができる。
【００９０】
抗体の例としては、アンチＰＣＳＫ−９ｍＡｂ（例えばアリロクマブ）、アンチＩＬ−６ｍＡｂ（例えばサリルマブ）、およびアンチＩＬ−４ｍＡｂ（例えばデュピルマブ）がある。
【００９１】
本明細書において説明される任意のＡＰＩの薬学的に許容される塩もまた、薬物送達デバイスにおける薬物または薬剤の使用に企図される。薬学的に許容される塩は、例えば酸付加塩および塩基性塩である。
【００９２】
本発明の全範囲および精神から逸脱することなく、本明細書で述べたＡＰＩ、製剤、装置、方法、システム、および実施形態の様々な構成要素の修正（追加および／または削除）を行うことができることを当業者は理解されよう。本発明は、そのような修正およびすべての等価物を包含する。
【図１Ａ】
2021504048.tif 000003
【図１Ｂ】
2021504048.tif 000004
【図２】
2021504048.tif 000005
【図３Ａ】
2021504048.tif 000006
【図３Ｂ】
2021504048.tif 000007
【図３Ｃ】
2021504048.tif 000008
【図４Ａ】
2021504048.tif 000009
【図４Ｂ】
2021504048.tif 000010
【図４Ｃ】
2021504048.tif 000011
【図５Ａ】
2021504048.tif 000012
【図５Ｂ】
2021504048.tif 000013
【図５Ｃ】
2021504048.tif 000014
【図５Ｄ】
2021504048.tif 000015
【国際調査報告】
2021504048.tif 000016
2021504048.tif 000017
2021504048.tif 000018
2021504048.tif 000019